(57)【要約】【課題】掃除中必要な物を不用意に吸い込んだときに、吸引管路の途中で捕獲できるようにする。【解決手段】掃除機の吸引管の途中に管内を透視できる捕獲パイプを備え、捕獲パイプないに数本の棒を装着し、吸い込んだ物を受け止めて、その物を肉眼で確認できるようにしたので必要品の廃棄を防止できる。【選択図】　図１
2004057769.tif 000002
【特許請求の範囲】
【請求項１】
内部が肉眼で見える捕獲パイプ１と、数本の棒を設けた櫛状の捕獲棒２で構成した掃除機用誤吸引物捕獲装置。
【請求項２】
数本の捕獲棒２３につまみ部２１をつけた請求項１記載の櫛状の捕獲棒。
【発明の詳細な説明】
【０００１】
【発明の属する技術分野】
本発明は、電気掃除機の掃除において、必要な物を誤って吸込んでも吸引管の途中でその物を受け止めて捕獲することのできる装置に関する。
【０００２】
【従来の技術】
従来の電気掃除機での清掃は、掃除機の吸込み口から吸い込んだ物は、吸引管を通りそのまま掃除機内の集塵部に入る。
【０００３】
流通路の中間で吸引する物を綿埃と混在塵または吸引物に分離する網体の捕獲面を使った装置がある。（例えば、特開平０９−１６４０９９号公報参照）
【０００４】
【発明が解決しようとする課題】
従来の掃除機での掃除では、掃除機の吸込み口から吸い込んだ物は、そのまま吸引管を通り掃除機内の集塵部に入るため、必要とする物を誤って吸い込んでいることに気づかずに、そのまま破棄してしまうという問題点があった。
【０００５】
吸引物を受け止めるところが網状の物は、網の目に髪の毛や繊維類などの糸状の塵が絡みつくと、回転やふるってもしてもその塵が離れないことがあり、取り除くのに手間がかかるなどの問題点があった。
【０００６】
【課題を解決するための手段】
上記目的を達成するために、本発明の掃除機用吸引物確認器具においては、内部を肉眼で見える吸引管に外部から数本の棒を備えた櫛状の捕獲棒２を挿入し、吸い込んだ物を受け止めて、その物を肉眼で確認でき即座に確保できるようにした。
【０００７】
捕獲部を数本の棒にしたことにより、捕獲部に不要な塵や髪の毛や繊維類などの糸状の物が絡みついても、櫛状の捕獲棒２を引き抜くことで、捕獲棒２３の先端から排出できるようにした。
【０００８】
【発明の実施の形態】
必要とする物を吸い込んでしまっても、捕獲パイプ１に装着した櫛状の捕獲棒２の捕獲棒２３で止まり、その物が肉眼で確認でき即座に取り出せる。不要な物を受け止めたときや、糸状の塵が捕獲棒に絡んでも、櫛状の捕獲棒２のつまみ部２１を引き抜くだけで排出される。また、吸引することが多い誇りや小さい塵は、捕獲棒の通風口２４を取り抜けそのまま掃除機の集塵部に吸い込まれる。
【０００９】
【実施例】
図１については、内部を肉眼で確認できる捕獲パイプ１に、数ヶ所の挿入孔を空けた捕獲棒差し込み口１１より櫛状の捕獲棒２を装着し、捕獲棒２３で吸引物を受け止める。
【００１０】
図２は、内部を肉眼で確認できる捕獲パイプ１に櫛状の捕獲棒２が装着した本発明を、掃除機の吸引経路の途中に取り付けて使用する。また、捕獲パイプ１の排出口接続部ａ１５と吸込み口接続部ａ１７において、吸引管との取り付け部が一致するときは継ぎ手を使わず使用する。
【００１１】
図３は、掃除機を使った掃除の実施例で、吸引経路途中のグリップ８とパイプ９の間に本発明の排出口継ぎ手４と吸込み口継ぎ手３を取り付け、電源スイッチ７を入れ掃除をする。
【００１２】
図４は、捕獲パイプ１に櫛状の捕獲棒２を差し込んで、吸引物があったときは捕獲棒２３で受け止め、必要な物を受け止めた時は吸引接続口を外し中の物を取り出し、不要な物を受け止めた時はつまみ２１を引き抜き排除する。
【００１３】
図５は、捕獲パイプ１に櫛状の捕獲棒２を差し込んである状態で、受け止めた物があるときは外部から中の物が確認できる。
【００１４】
図６は、捕獲パイプ１の装着部１４に櫛状の捕獲棒２を挿入する差し込み口である。
【００１５】
図７は、捕獲パイプ１に櫛状の捕獲棒２を挿入する装着部１４を表わした。
【００１６】
図８ａは、櫛状の捕獲棒２を正面から見た図面である。捕獲棒２３の先端より差し込み、埃や小さいごみは、櫛状の棒の通風口２４を通り抜けて集塵袋の中に吸込まれる。
図８ｂは、図６Ａ−Ａの切断図で、図８ａの櫛状の捕獲棒２を捕獲パイプ１の差し込み口１１に差し込む。
【００１７】
図９は、前記図８ｂの捕獲パイプ１に図８ａ櫛状の捕獲棒２を取り付けた図面である。この状態で吸込んだ物を捕獲する。また、埃や小さいごみは、櫛状の棒の通風口２４を通り抜けて集塵袋の中に吸込まれる。
【００１８】
図１０は、櫛状の捕獲棒２の断面図で、つまみ部２１を持ち捕獲パイプ１の捕獲棒差し込み口１１へ捕獲棒２３の先端を差し込む。
【００１９】
図１１は、櫛状の捕獲棒２の斜視図で、複数の捕獲棒２３を捕獲パイプ１の差し込み口１１に挿入し櫛状の捕獲棒固定部ａ１３と櫛状の捕獲棒固定部ｂ２２が固定される。
【００２０】
図１２は、本発明の組み立て図で、捕獲パイプ１の櫛状の捕獲棒装着部１４に櫛状の捕獲棒２を差し込み、排出口接続部固定ａ１６を排出口継ぎ手接続部固定ｂ２０にあわせて、排出口接続部ａ１５に排出口継ぎ手接続部ｂ１９をつなぎ、吸込み口接続部固定ａ１８に吸込み口継ぎ手接続部固定ｂ３０をあわせ、吸込み口接続部ａ１７に吸込み口継ぎ手接続部ｂ２９を取り付ける。
【００２１】
図１３は、吸込み口接続部ａ１７に吸込み口継ぎ手接続部ｂ３１を取り付け、パイプ接続部３３にパイプ９を取り付ける。
【００２２】
図１４は、排出口接続部ａ１５に排出口継ぎ手接続部ｂ４１を取り付けグリップに４３を装着する。吸込み口接続部ａ１７に吸込み口継ぎ手接続部ｂ３１取り付けパイプにパイプ接続部３３を装着する。
【００２３】
図１５は、網体２８の捕獲面に糸状の塵２７が絡みついている。
【００２４】
図１６は、網体２８の捕獲面を引き抜いても糸状の塵２７が絡みついていて排除できない。
【００２５】
図１７は、捕獲棒２３に糸状の塵２７が絡みついている。
【００２６】
図１８は、捕獲棒を引き抜くと塵と同時に絡みついていた糸状の塵２７が排除される。
【００２７】
図１９は、通風口２４を硬貨などが通過しないよう捕獲棒を曲げた。
【００２８】
【発明の効果】
本発明は，以上説明したように構成されているので、下記に記載されるような効果がある。
【００２９】
受け止めた物が肉眼で見えるため、物を吸込んだときはすぐに確認できる。
【００３０】
必要とする物を誤って吸い込んでいても櫛状の捕獲棒２が受け止めるため安心して掃除ができる。
【００３１】
集塵袋の塵の中から取り出さないですむため衛生的である。
【００３２】
捕獲するところを櫛状の捕獲棒２１にしたことにより、捕獲面にからみついた糸状の塵２７が、櫛状の捕獲棒２１を引き抜くと付着物除去部１２で押し出され、一度に排除できるため捕獲部の掃除に手間がかからない。
【００３３】
必要な物を受け止めたときは、吸込み口継ぎ手３を取り外すことにより、中の物を取り出すことができる。不必要のときは，櫛状の捕獲棒２を引き抜き簡単に排出できる。
【図面の簡単な説明】
【図１】本発明の断面図である。
【図２】本発明の実施例の全体図である。
【図３】本発明の一実施例の使用状況図である。
【図４】本発明を掃除機の吸引経路に取り付けた全体図と櫛状の捕獲棒を設置したときの詳細図である。
【図５】捕獲パイプと櫛状の捕獲棒の平面図である。
【図６】捕獲パイプの平面図である。
【図７】捕獲パイプの断面図である。
【図８】櫛状の捕獲棒と捕獲パイプの切断図である。
【図９】捕獲パイプに櫛状の捕獲棒を装着した切断図である。
【図１０】櫛状の捕獲棒の断面図である。
【図１１】櫛状の捕獲棒の詳細図である。
【図１２】本発明の組み立て図である。
【図１３】吸込み口継ぎ手の断面図である。
【図１４】排出口継ぎ手の断面図である。
【図１５】網体に糸状の塵が絡みついた詳細図である。
【図１６】網体を取り出しても糸状の塵が絡みついていて排出できないでいる詳細図である。
【図１７】本発明に糸状の塵が絡みついた詳細図である。
【図１８】本発明の櫛状の捕獲棒を取り出すと糸状の塵が離れ吸込まれていく詳細図である。
【図１９】捕獲棒を曲げた詳細図である。
【符号の説明】
１　捕獲パイプ
２　櫛状の捕獲棒
３　吸込み口継ぎ手
４　排出口継ぎ手
５　掃除機
６　ホース
７　電源スイッチ
８　グリップ
９　パイプ
１０　ノズル
１１　捕獲棒差し込み口
１２　付着物除去部
１３　櫛状の捕獲棒固定部ａ
１４　櫛状の捕獲棒装着部
１５　排出口接続部ａ
１６　排出口接続部固定ａ
１７　吸込み口接続部ａ
１８　吸込み口接続部固定ａ
１９　排出口継ぎ手接続部ｂ
２０　排出口継ぎ手接続部固定ｂ
２１　つまみ部
２２　櫛状の捕獲棒固定部ｂ
２３　捕獲棒
２４　通風口
２６　屈曲捕獲棒
２７　糸状の塵
２８　網体
２９　吸込み口継ぎ手接続部ｂ
３０　吸込み口継ぎ手接続部固定ｂ
３１　パイプ接続部
３２　グリップ接続部
３３　吸引
３４　排出
【図１】
2004057769.tif 000003
【図２】
2004057769.tif 000004
【図３】
2004057769.tif 000005
【図４】
2004057769.tif 000006
【図５】
2004057769.tif 000007
【図６】
2004057769.tif 000008
【図７】
2004057769.tif 000009
【図８】
2004057769.tif 000010
【図９】
2004057769.tif 000011
【図１０】
2004057769.tif 000012
【図１１】
2004057769.tif 000013
【図１２】
2004057769.tif 000014
【図１３】
2004057769.tif 000015
【図１４】
2004057769.tif 000016
【図１５】
2004057769.tif 000017
【図１６】
2004057769.tif 000018
【図１７】
2004057769.tif 000019
【図１８】
2004057769.tif 000020
【図１９】
2004057769.tif 000021